(57)【要約】【課題】パウチの代替に適し、かつ、鋏等の道具を使用することなく簡単に開封できる詰め替え用ブロー成形容器を提案する。【解決手段】内容物の充填空間を区画形成するとともに対向する側壁同士を相互に密着させて充填空間の減容を可能とする薄肉の胴体壁部（１）と、この胴体壁部（１）の下端に一体的につながり該胴体壁部（１）を内容物の有無にかかわりなしに起立させる薄肉の底壁部（２）と、前記胴体壁部（１）若しくは前記底壁部（２）から一体的に突き出しその先端を開放して内容物の注出経路を形成する薄肉の注出部（３）と、前記胴体壁部（１）の上部に設けられ胴体壁部の充填空間に内容物を供給する充填部分（４）とを備えたブロー成形スタンディング薄肉容器において、前記注出部（３）に、ブロー成形の際の延伸する向き（Ｘ）にほぼ平行な破断予定線（６）を形成し、この破断予定線（６）に沿う引きちぎりによってその先端を開放する閉塞栓（５）を一体的に設ける。【選択図】図１
2005067705.tif 000002
【特許請求の範囲】
【請求項１】
内容物の充填空間を区画形成するとともに対向する側壁同士を相互に密着させて充填空間の減容を可能とする薄肉の胴体壁部と、この胴体壁部の下端に一体的につながり該胴体壁部を内容物の有無にかかわりなしに起立させる薄肉の底壁部と、前記胴体壁部若しくは前記底壁部から一体的に突き出しその先端を開放して内容物の注出経路を形成する薄肉の注出部と、前記胴体壁部の上部に設けられ胴体壁部の充填空間に内容物を供給する充填部分とを備えたブロー成形スタンディング薄肉容器であって、
前記注出部に、破断予定線に沿う引きちぎりによってその先端を開放する閉塞栓を一体成形してなり、
該破断予定線は、ブロー成形の際の延伸する向きにほぼ平行に設けられたものである、パウチの代替に適したブロー成形スタンディング薄肉容器。
【請求項２】
閉塞栓は、それと一体に成形され該閉塞栓を引きちぎる際に指を引っ掛ける指掛け部を有する、請求項１記載のブロー成形スタンディング薄肉容器。
【請求項３】
破断予定線は、凹断面をなす細溝にて形成されたものである、請求項１又は２記載のブロー成形スタンディング薄肉容器。
【請求項４】
破断予定線は、ブロー成形に際して薄肉化することによって形成されたものである、請求項１〜３の何れかに記載のブロー成形スタンディング薄肉容器。
【請求項５】
破断予定線は、後加工によって薄肉化することによって形成されたものである、請求項１〜３の何れかに記載のブロー成形スタンディング薄肉容器。
【請求項６】
延伸する向きが容器の長手方向に交差する向きである請求項１〜５の何れかに記載のブロー成形スタンディング薄肉容器。
【発明の詳細な説明】
【技術分野】
【０００１】
本発明は、合成樹脂製のフィルムや金属製のフィルムにて構成されるパウチの代替に適したブロー成形スタンディング薄肉容器に関するものであり、該容器を簡単な動作でもって簡易に開封しようとするものである。
【背景技術】
【０００２】
シャンプーやリンス、液体石鹸、化粧料等を入れておく据え置きタイプの容器は内容物の適量注出を可能とするディスペンサーを装着したものが一般に使用されており、このような容器に内容物を補充するに当たっては、構成材料を極力削減すべく合成樹脂製のフィルムや金属製のフィルムを張り合わせたパウチや合成樹脂（例えば延伸ポリプロピレン樹脂）からなる薄肉ブローボトルが詰め替え容器として用いられている（例えば特許文献１、特許文献２参照）。
【特許文献１】特開平１１−１１４９６号公報
【特許文献２】特開２００２−２２５８４２号公報
【発明の開示】
【発明が解決しようとする課題】
【０００３】
ところで、従来の詰め替え容器のうち、パウチは、容器の減容化が可能であり、しかも製造コストの軽減、使用材料の削減を図ることができることから詰め替え用の容器として幅広く使用されているが、該容器は、容器自体に張りがないため注出口を詰め替えるべき容器の口にフィットさせることが不可能で詰め替え時に内容物をこぼしてしまうことが懸念されることに加え、容器の開封に当たっては鋏等の道具を使用しなければならない不便さが残されていた。
【０００４】
この点、ブロー成形ボトルは、薄肉化されていても容器自体に張りがあり、詰め替えるべき容器の口部内に注出部を差し込むことができること、また、その口部には通常、キャップを備えているので内容物が余ったとしてもキャップにより栓をすることで内容物を保存しておくことが可能であり容器の開封に際して鋏等の道具を使用するパウチと比較して詰め替え容器に適した利点があるところ、外観形状がボトル型になる容器は、薄肉化によって使用材料の削減を図っている割りには割高感を与えるためにパウチのような容器に比べ販売促進に対する消費者へのアピール性に物足りなさを有していた。
【０００５】
本発明の課題は、販売促進に対する消費者へのアピール性を高めるとともに、鋏等の道具を必要とせず引きちぎり動作でもって簡単に開封できる新規なブロー成形スタンディング薄肉容器を提案するところにある。
【課題を解決するための手段】
【０００６】
本発明は、内容物の充填空間を区画形成するとともに対向する側壁同士を相互に密着させて充填空間の減容を可能とする薄肉の胴体壁部と、この胴体壁部の下端に一体的につながり該胴体壁部を内容物の有無にかかわりなしに起立させる薄肉の底壁部と、前記胴体壁部若しくは前記底壁部から一体的に突き出しその先端を開放して内容物の注出経路を形成する薄肉の注出部と、前記胴体壁部の上部に設けられ胴体壁部の充填空間に内容物を供給する充填部分とを備えたブロー成形スタンディング薄肉容器であって、
前記注出部に、破断予定線に沿う引きちぎりによってその先端を開放する閉塞栓を一体成形してなり、
該破断予定線は、ブロー成形の際の延伸する向きにほぼ平行に設けられたものである、パウチの代替に適したブロー成形スタンディング薄肉容器である。
【０００７】
閉塞栓は、それと一体に成形され該閉塞栓を引きちぎる際に指を引っ掛ける指掛け部を有するものが好ましい。
【０００８】
破断予定線は、凹断面をなす細溝にて形成されたものが好ましく、このような細溝はブロー成形に際して薄肉化することによって形成するか、ブロー成形後の後加工によって薄肉化することによって形成することができる。
【０００９】
延伸する向きは容器の長手方向に交差する向きがとくに好ましい。
【発明の効果】
【００１０】
ブロー成形の際に樹脂が延伸する向きに平行か若しくはそれに近似する破断予定線を設けると、引きちぎりによって破断予定線を境にして簡単に切れることから、容器の開封に際して鋏等の道具がいらない。
【発明を実施するための最良の形態】
【００１１】
以下、図面を用いて本発明をより具体的に説明する。
【００１２】
図１（ａ）（ｂ）は本発明に従う容器の実施の形態を示したものであり、図における１は内容物の充填空間を区画形成するとともに対向する側壁同士を相互に密着させて該充填空間の減容を可能とする薄肉の胴体壁部、２は胴体壁部１の下端に一体的につながり該胴体壁部１を内容物の有無にかかわりなく起立させる薄肉の底壁部である。
【００１３】
また、３は胴体壁部１の上端隅部から一体的に突き出しその先端の引きちぎりによるカットにて開放し内容物の注出経路を形成する薄肉の注出部、４は胴体壁部１の上部に設けられ充填空間に内容物を供給する充填部分であって、この充填部分４は内容物の充填後にその開放端を熱融着等によって密封することができるようになっている。
【００１４】
また、５は注出部３の先端に一体成形された閉塞栓、６は凹断面をなす細溝にて形成され閉塞栓５を引きちぎるための破断予定線である。
【００１５】
一般的にダイレクトブロー成形法では押出機で加熱溶融された樹脂をダイヘッドからパリソンと呼ばれる筒状体として押し出し、このパリソンの下部を金型で挟み込んで融着させるとともに、その内部へ空気を吹き込んで所望の形状を有する製品に成形される。この際、パリソンの外径は成形される製品の外径より小さく押し出されるが普通であり、したがって空気の吹き込みに際してパリソンは横方向に延伸することなり、破断予定線６を延伸する向きＸ（容器の長手方向に交差する向きであって図１参照）に平行若しくはほぼ平行に設けることで引きちぎりに当たって該部位が破断しやすくなる（合成樹脂製の製品は延伸方向に沿う向きでは破断しやすく延伸方向と直交する向きでは破断しにくい性質を有する）。
【００１６】
かかる容器を開封するには、密閉栓５の指掛け部５ａに指を引っ掛けて引っ張ればよく、これにより破断予定線６を境にして該密閉栓５は簡単に引きちぎられる。
【００１７】
破断予定線は基本的には、凹断面をなす細溝にて形成されたものが好ましく、このような細溝はブロー成形に際して薄肉化することによって形成することができるが、ブロー成形後の後加工において例えば切削刃による削り取りによって薄肉化するようにしてもよく、この点については適宜選択することができる。
【００１８】
図２は本発明に従う容器の他の実施の形態を示したものである。上掲図１では、密閉栓５に指掛け部５ａを設けたものを示したが、密閉栓５には、図２に示すように摘み部５ｂを設けることもでき、該摘み部５ｂを捻ることで閉塞栓５を破断予定線６から簡単に切り離すことが可能になる。
【００１９】
本発明に従う容器は、ポリエチレン、ポリプロピレンやポリエチレンテレフタレート等の合成樹脂をブロー成形することによって製造できるものであり、パウチと同様の折畳みによるコンパクト化を可能とするため、その肉厚は０．０５〜０．５mm程度とするのが好ましい。
【００２０】
上掲図１、図２においては、注出部３を胴体壁部１の上端隅部から一体的に突き出した例として示したが、内容物の注出に際して該注出部３を底壁部２から突き出され容器の起立時には胴体壁部１の内方へ向けて陥没可能なポップアップタイプとしてもよく注出部３の形成位置は用途に応じて種々に変更することができる。
【００２１】
容器は単一の樹脂で構成された構造のものや２種以上の樹脂を積層構成したもの、さらにはエチレンビニルアルコール共重合体やナイロンなどのバリア層を含む２種以上の樹脂で構成された多層構造のものが適用可能であり、この点については限定されない。また、底壁部２については、凹又は凸状のラインを形成しておくことが可能であり、これにより容器が折畳み易くなる。
【産業上の利用可能性】
【００２２】
パウチと同様に容器の折畳みによる減容化が可能であり、しかも、引きちぎりにより閉塞栓を簡単に取り外すことができるので詰め替え容器として幅広い用途に使用できる。
【図面の簡単な説明】
【００２３】
【図１】本発明に従う容器の実施の形態を示したものであり（ａ）は正面図、（ｂ）は側面図である。
【図２】本発明に従う容器の他の実施の形態を示した図である。
【符号の説明】
【００２４】
１  胴体壁部
２  底壁部
３  注出部
４  充填部分
５  閉塞栓
５ａ  ５ｂ  摘み部
６  破断予定線
【図１】
2005067705.tif 000003
【図２】
2005067705.tif 000004